(57)【要約】【課題】  折畳み式ドアを閉める際にドア構成部材間に指が挟まれることを防止できるように、その種の当該のヒンジを改良する。【解決手段】  ヒンジ（９）、例えば、折畳み式ドア（２）の２つのドア構成部材（３、４）を連結するためのヒンジであって、それぞれドア構成部材（３、４）に固定可能な２つのリンク連接部品（１０、１１）を備え、前記ドア構成部材（３、４）間に隙間（１５）が設けられるようにしたものが提供される。ここで、前記リンク連接部品のうちの少なくとも１つ（１０）は、取り付け板（１２、１２’）に対して移動変位可能に支承されており、該リンク連接部品のうちの少なくとも１つ（１０）は、力を及ぼす保持機構によって第１の位置に保持され、その力を越える力が加わると、第２の位置に移動変位可能であり、その際、前記ドア構成部材（３、４）間の隙間（１５）が拡大するようにしたものである。【選択図】  図６
2007529653.tif 000002
【特許請求の範囲】
【請求項１】
ヒンジ（９）、例えば、折畳み式ドア（２）の２つのドア構成部材（３、４）を連結するためのヒンジであって、それぞれドア構成部材（３、４）に固定可能な２つのリンク連接部品（１０、１１）を備え、前記ドア構成部材（３、４）間に隙間（１５）が設けられるようにしたものにおいて、
前記リンク連接部品（１０）のうちの少なくとも１つが、取り付け板（１２、１２’）に対して移動変位可能に支承されており、該少なくとも１つのリンク連接部品（１０）は、力を及ぼす保持機構によって第１の位置に保持され、その力を越える力が加わると、第２の位置に移動変位可能であり、その際、前記ドア構成部材（３、４）間の隙間（１５）が拡大するようにしたことを特徴とするヒンジ。
【請求項２】
前記力を及ぼす保持機構は、少なくとも１つのバネ（１４）によって構成されることを特徴とする、請求項１に記載のヒンジ。
【請求項３】
前記少なくとも１のバネ（１４）は、コイルバネとして構成され、前記ドア構成部材（３、４）間の隙間（１５）に対して垂直に配向されていることを特徴とする、請求項２に記載のヒンジ。
【請求項４】
前記移動変位可能なリンク連接部品（１０）は、前記取り付け板（１２）の突起部の背後に保持されていることを特徴とする、請求項１〜３のいずれか一項に記載のヒンジ。
【請求項５】
バネの作用を受ける係止突出部（１６）が前記移動変位可能なリンク連接部品（１０）に取り付けられており、該係止突出部は、前記取り付け板（１２）の凹部（１７）内に係止して、前記保持機構を構成するものであることを特徴とする、請求項１に記載のヒンジ。
【請求項６】
前記保持機構は、磁石によって構成されることを特徴とする、請求項１に記載のヒンジ。
【請求項７】
前記移動変位可能なリンク連接部品（１０）は、縦長のアームとして構成されることを特徴とする、請求項１〜６のいずれか一項に記載のヒンジ。
【請求項８】
前記第２リンク連接部品（１１）は、ポット状に構成され、縦長のアームとして構成されたリンク連接部品（１０）がその上で旋回自在に支承されている軸（１３）を備えていることを特徴とする、請求項７に記載のヒンジ。
【請求項９】
前記取り付け板（１２）は、好ましくはヒンジアームとして構成される前記移動変位可能なリンク連接部品（１０）を前記ドア構成部材（４）のうちの１つに連結するように形成されており、前記移動変位可能なリンク連接部品（１０）は、前記取り付け板（１２）に対して相対的に摺動されるように構成されていることを特徴とする、請求項１〜８のいずれか一項に記載のヒンジ。
【請求項１０】
前記移動変位可能なリンク連接部品（１０）が、必要に応じて取り付け板（１２）を用いて一方の前記ドア構成部材（４）に好ましくは剛性的に固定可能であり、前記第２リンク連接部品（１１）の取り付け板（１２’）に対して移動変位可能に支承されていることを特徴とする、請求項１に記載のヒンジ。
【請求項１１】
前記第２リンク連接部品（１１）または取り付け板（１２’）は、他方のドア構成部材に固定可能であることを特徴とする請求項１０に記載のヒンジ。
【請求項１２】
前記移動変位可能なリンク連接部品（１０）は、ヒンジアームであることを特徴とする、請求項１０または請求項１１に記載のヒンジ。
【請求項１３】
前記第２リンク連接部品（１１）は、ヒンジポットであることを特徴とする、請求項１０〜１２のいずれか一項に記載のヒンジ。
【請求項１４】
前記移動変位可能なリンク連接部品（１０）および前記第２リンク連接部品（１１）は、ヒンジ軸（１３）を介して旋回自在に互いに連結されていることを特徴とする、請求項１０〜１３のいずれか一項に記載のヒンジ。
【請求項１５】
前記ヒンジ軸（１３）は、前記第２リンク連接部品（１１）内に配置された案内路（１９）に沿って、好ましくはそこに配置された案内溝に沿って、前記第２リンク連接部品（１１）に対して移動変位可能に支承されていることを特徴とする、請求項１４に記載のヒンジ。
【請求項１６】
好ましくは実質的に直線状である前記案内路（１９）は、前記第２リンク連接部品（１１）の前記取り付け板（１２’）に対して傾斜して延在するように構成されていることを特徴とする、請求項１５に記載のヒンジ。
【請求項１７】
前記ヒンジ軸（１３）は、前記移動変位可能なリンク連接部品（１０）に剛性的に配置され、もしくは、連結されていることを特徴とする、請求項１４〜１６のいずれか一項に記載のヒンジ。
【請求項１８】
前記第２リンク連接部品（１１）において力を及ぼす保持機構として、係止バネ（１８）が設けられ、該係止バネにて、ヒンジ軸（１３）が係止可能および係止解除可能であることを特徴とする、請求項１４〜１７のいずれか一項に記載のヒンジ。
【請求項１９】
前記係止バネ（１８）は、前記第２リンク連接部品（１１）の取り付け板（１２’）に配置されていることを特徴とする、請求項１８に記載のヒンジ。
【請求項２０】
前記移動変位可能なリンク連接部品（１０）は、前記第１取り付け板（１２）に対して相対的に移動変位可能に支承されており、前記第１取り付け板（１２）は、前記移動変位可能なリンク連接部品（１０）を一方の前記ドア構成部材（４）に連結するように構成されており、さらに前記移動変位可能なリンク連接部品（１０）は、前記第２リンク連接部品の第２取り付け板（１２’）に対して移動変位可能に支承されており、前記第２リンク連接部品（１１）を他方のドア構成部材（３）に固定可能であることを特徴とする請求項１に記載のヒンジ。
【請求項２１】
前記移動変位可能なリンク連接部品（１０）は、ヒンジアームであることを特徴とする、請求項２０に記載のヒンジ。
【請求項２２】
前記第２リンク連接部品（１１）は、ヒンジポットであることを特徴とする、請求項２０または請求項２１に記載のヒンジ。
【請求項２３】
前記移動変位可能なリンク連接部品は、請求項２〜９のいずれか一項に記載の第１取り付け板（１２）に対して相対的に移動変位可能に支承されていることを特徴とする、請求項２０〜２２のいずれか一項に記載のヒンジ。
【請求項２４】
前記移動変位可能なリンク連接部品（１０）が、請求項１０〜１９のいずれか一項に記載の第２取り付け板に対して相対的に移動変位可能に支承されていることを特徴とする、請求項２０〜２３のいずれか一項に記載のヒンジ。
【発明の詳細な説明】
【技術分野】
【０００１】
本発明は、ヒンジ、例えば、折畳み式ドアの２つのドア構成部材を連結するためのヒンジであって、それぞれドア構成部材に固定可能な２つのリンク連接部品を備え、前記ドア構成部材間に隙間が設けられるようにしたものに関する。
【発明の開示】
【発明が解決しようとする課題】
【０００２】
本発明の課題は、折畳み式ドアを閉める際にドア構成部材間に指が挟まれることを防止できるように、その種の当該のヒンジを改良することである。
【課題を解決するための手段】
【０００３】
本発明の課題は次のようにして解決される、すなわち、少なくとも１つのリンク連接部品が、取り付け板に対して移動変位可能に支承されており、該少なくとも１つのリンク連接部品は、力を及ぼす保持機構によって第１位置に保持され、その力を越す力が加えられると、第２位置に移動変位可能であり、その際、ドア構成部材間の隙間が拡大するようにするのである。
【発明の効果】
【０００４】
好ましくは、リンク連接部品を移動変位可能にするための構成形態に関して３つの変化実施形態が提供される。すなわち、１つの形態では、簡潔に移動変位可能なリンク連接部品と呼ばれる、移動変位可能に支承されたリンク連接部品をドア構成部材のうちの１つに連結するように、取り付け板を構成し、ここで、その移動変位可能なリンク連接部品を当該の取り付け板に対して相対的に移動変位可能に支承するものである。他の形態では、必要に応じて取り付け板を用いて移動変位可能なリンク連接部品をドア構成部材のうちの１つに固定可能にし、第２のリンク連接部品の取り付け板に対して移動変位可能に支承することも可能である。第３の変化実施形態として、最初に述べた前者の可能な形態を互いに結びつけることも考えられる。ドア構成部材間の隙間を特に大きく広げる必要がある場合、後者の可能な形態を利用するのが特に有利である。
【０００５】
本発明による変化実施形態はすべて、１つ以上の案内路に沿った１つ以上の、好ましくは直線的な移動変位運動を用いて隙間を実現でき、そのために、構成上コストを要する、追加の旋回運動または折りたたみ運動をヒンジによって可能にする必要がないという利点を有している。
【０００６】
有利には、移動変位可能なリンク連接部品が少なくとも１つのバネの作用を受けるようにするとよい。
【０００７】
本発明のさらなる実施例においては、バネの作用を受ける係止突出部が移動変位可能なリンク連接部品に取り付けられ、該係止突出部は、取り付け板の凹部内に係止するのである。
本発明のさらなる実施例においては、保持機構が磁石によって構成される。
以下、添付図面を参照して本発明の様々な実施例を説明する。
【発明を実施するための最良の形態】
【０００８】
図１〜図３は、折畳み式ドア２で覆われる、家具ケース１を備える戸棚を示している。折畳み式ドア２は、２つのドア構成部材３、４で構成されている。上方のドア構成部材３はヒンジを用いて家具外枠１の上部構造材５に取り付けられており、下方のドア構成部材４は上方のドア構成部材３に取り付けられている。下方のドア構成部材４は、その下縁付近において、家具側壁８に取り付けられている家具操作器７の操作アーム６に連結されている。図示した実施例において、ドア構成部材３、４はヒンジ９を用いて互いに連結されている。
【０００９】
ヒンジ９は、図示した変化実施形態において１軸ヒンジとして構成されており、従来どおりの方法でヒンジアームの形態のリンク連接部品１０とヒンジポットの形態のリンク連接部品１１とを有している。図示した実施例において、ヒンジポット状のリンク連接部品１１はドア構成部材３にはめ込まれており、ヒンジアーム状のリンク連接部品１０は取り付け板１２を用いてドア構成部材４に取り付けられている。これと逆の配置も同様に可能であろう。
【００１０】
リンク連接部品１０は取り付け板１２上に移動変位可能に支承されており、しかもヒンジ軸１３に対して垂直に配置されている。図６および図７の実施例において、力を及ぼす保持機構を形成するバネ１４がリンク連接部品１０内に装着されている。バネ１４は取り付け板１２で支持されており、折畳み式ドア２が閉じているときには両方のドア構成部材３、４が通常の状態になるように、すなわち、両方のドア構成部材３、４間の隙間１５が比較的狭くなるように、リンク連接部品１０に作用する。
【００１１】
折畳み式ドア２を閉止する際に両方のドア構成部材３、４間の隙間に誰かの指が入ってしまった場合、バネ１４が緩み、ドア構成部材４がドア構成部材３から離反するように押しのけられ、すなわち、隙間１５が広がって、指が挟まれることが防止される。隙間１５が再び解放されると同時に、バネ１４がヒンジアーム１０を再び後方に押す、すなわちドア構成部材４をドア構成部材３の方に押す。
【００１２】
図９および図１０の実施例において、ヒンジアーム状のリンク連接部品１０は、ドア構成部材３、４が通常の状態であるときに取り付け板１２の凹部内に係止する、バネの作用を受ける係止突出部１６を備えている。係止突出部１６は、力を及ぼす保持機構を形成する。
【００１３】
折畳み式ドア２を閉止する際に戸棚の使用者の指が隙間１５に入ってしまった場合、バネの作用を受ける突出部１６が凹部１７から係止解除され、リンク連接部品１０が取り付け板１２上で移動変位可能になり、その結果、隙間１５は指を挟むことがないように十分広くなる。次に、ドア構成部材４は取り付け板１２とともに、図８に示した位置に再び移動し、それに続いてバネの作用を受ける突出部１６が再び係止する必要がある。
【００１４】
取り付け板１２および／またはリンク連接部品１０が磁化できる素材から製造されている場合、バネの作用を受ける突出部１６の代わりに、力を及ぼす保持機構として磁石を設けることができる。
【００１５】
図１〜図１１の実施例において、移動変位可能なリンク連接部品１０は取り付け板１２に対して常に移動変位可能に支承されているが、他方では、取り付け板とともにドア構成部材４に取り付けることもできる。このための可能な代替的形態を図１２〜図１４の実施例に基づいて説明する。ここで、移動変位可能なリンク連接部品１０は、取り付け板１２を介してドア構成部材４に固定されている。
【００１６】
このリンク連接部品は、第２リンク連接部品１１の取り付け板１２’に対して移動変位可能に支承されている。第２リンク連接部品は、図示した例においてヒンジポットとして構成されており、移動変位可能なリンク連接部品１０はヒンジアームとして構成されている。図１２は通常の状態を示している。
【００１７】
通常の状態において、ヒンジアーム１０はリンク連接部品軸１３をもって、係止バネ１８によって保持され、すなわち、係止バネに係止する。係止バネ１８は、ここで第２リンク連接部品１１に配置される、力を及ぼす保持機構を形成する。図１３は、隙間１５が最大限に広げられた状態を示している。ドア構成部材３および４を閉める際に、例えば指などの物が隙間１５に挟まることによって、係止バネ１８の保持力を越える力が加えられると、当該の状態が生起する。保持力を越える力が加えられると、両方のリンク連接部品１０および１１を旋回自在に互いに連結している旋回軸１３が、図１３に示した第２の位置に動かされる。この移動運動は、好ましくは案内溝として構成することができる、第２リンク連接部品１１内に配置された案内路１９に沿って行われる。
【００１８】
特に実質的に直線状である案内路１９は、図示した実施例において、第２リンク連接部品１１の取り付け板１２’に対して傾斜して延在するように構成されている。ヒンジ軸１３は、図示した実施例において、移動変位可能なリンク連接部品１０に剛性的に配置され、若しくは、移動変位可能なリンク連接部品に連結されている。
【００１９】
このように実現される指安全確保機能が一度作動し、ヒンジが図１３に示した状態におかれる場合、両方のドア構成部材３および４を併せて移動させるだけでよく、ここで、軸１３が案内路１９に沿って係止バネ１８の方向に滑動し、係止バネに再び係止し、それとともに図１２の出発状態に再び戻るように併せて移動させるのである。ドア構成部材の開閉時の通常動作において行われる、リンク連接部品軸１３を中心としたドア構成部材３および４の旋回運動を、図１２において両端矢印２５で表している。
【００２０】
また、両方のドア構成部材３および４を、図１２に示した折畳み式ドアが閉じた状態に調整するために、付加的に調整装置２３および２４を設けることもできる。調整装置２３は、他のヒンジで公知の深さ調整装置のように構成することができ、図１２の状態における隙間１５の開き幅の調整に利用することができる。調整装置２４は、ヒンジにおいてそれ自体公知の隙間調整ネジに類似して構成することができ、ドア構成部材３および４の正面３’および４’を、図１２に示した閉じた状態において共通平面に配置されるように整列させるのに役立つ。
【００２１】
図１４は、ヒンジポットとして構成された第２リンク連接部品１１と、第２リンク連接部品１１の取り付け板１２’に配置された係止バネ１８を示す斜視図である。
【００２２】
図１５〜図１８の実施例は、移動変位可能なリンク連接部品１０が、移動変位可能なリンク連接部品をドア構成部材４に固定可能にするための取り付け板１２に対して相対的に移動変位可能に支承されるだけでなく、別のドア構成部材３に固定可能にするための第２リンク連接部品１１またはその取り付け板１２’に対しても相対的に移動変位可能に支承されている、変化実施形態を示している。ここでヒンジアームとして構成されているリンク連接部品１０を取り付け板１２上で移動変位可能に支承することは、基本的に様々な方法で実施することができる。とりわけ、図６〜図１１に示したすべての変化実施形態が可能である。
【００２３】
図１５〜図１８に示した変化実施形態では、移動変位可能に支承されたリンク連接部品１０と、取り付け板１２上にクリップ結合可能な中間部片２０との間にバネ１４が配置されている。バネ１４は、中間部片２０の保持用突起２１とリンク連接部品１０の保持用突起２２に支えられている。図１６は、バネ１４を同時に圧縮させながら、取り付け板１２に対して、または取り付け板に配置されている中間部片２０に対してリンク連接部品１０を移動させることによって、隙間１５が広がっている状態を示している。隙間１５をさらに広げることができるように、移動変位可能なリンク連接部品１０は、付加的に第２リンク連接部品１１またはその取り付け板１２’に対しても移動変位可能に支承されている。
【００２４】
このようにさらに付加的に移動変位可能にすることは、図１２〜図１４の実施例におけるように実現される。図１７は、案内路１９に沿ったリンク連接部品軸１３の移動によってのみ隙間１５が広がっている、中間状態を示している。図１８は、隙間が最大に広がった状態を示している。この状態は、図１６および図１７の中間状態の組み合わせによって得られる。図１８における隙間１５の開き幅は、図１６および図１７における開き幅の和に相当する。
【００２５】
多数の様々な変化実施形態を詳細に説明してきたが、本発明がこれらに限定されるものではないことは当業者にとって明らかである。変化実施形態の様々な特徴的要件を任意に組み合わせて、新しい実施形態をそのつど創出することができる。このため、特に、第２リンク連接部品１１の係止バネ１８を、バネ１４に似た、全調整範囲にわたって機能するバネに交換することが可能である。さらに、例えば２つの、各実施例に従って構成されるヒンジアームまたはヒンジポットを、リンク連接部品軸を介して互いに連結することも考えられる。これにより、対称的に構成されたヒンジが実現され得ることとなる。特に、取り付け板の概念を、図示した実施例で明確に示したように広く解釈すべきである。
【図面の簡単な説明】
【００２６】
【図１】折畳み式ドアが開いている家具の図である。
【図２】折畳み式ドアが閉じている家具の図である。
【図３】折畳み式ドアが開いている家具の側面図である。
【図４ａ】本発明による第１のヒンジおよびドア構成部材の一部分の側面図であり、通常の閉止動作過程および開放動作過程におけるドア構成部材の様子を示している。
【図４ｂ】本発明による第１のヒンジおよびドア構成部材の一部分の側面図であり、通常の閉止動作過程および開放動作過程におけるドア構成部材の様子を示している。
【図４ｃ】本発明による第１のヒンジおよびドア構成部材の一部分の側面図であり、通常の閉止動作過程および開放動作過程におけるドア構成部材の様子を示している。
【図５ａ】ヒンジおよびドア構成部材の一部分の側面図であり、指安全確保機能を示している。
【図５ｂ】ヒンジおよびドア構成部材の一部分の側面図であり、指安全確保機能を示している。
【図５ｃ】ヒンジおよびドア構成部材の一部分の側面図であり、指安全確保機能を示している。
【図６】本発明によるヒンジおよびドア構成部材の領域の断面図であり、閉じた状態におけるヒンジを示している。
【図７】ヒンジおよびドア構成部材の領域の断面図であり、指安全確保機能が効果を発揮している状態におけるヒンジを示している。
【図８】図７の線分Ａ−Ａに沿って切断して示す断面図である。
【図９】ヒンジのさらなる実施例の断面図であり、閉止状態におけるヒンジを示している。
【図１０】図８の実施例によるヒンジの断面図であり、指安全確保機能が効果を発揮している場合を示している。
【図１１】図９の線分Ａ−Ａに沿って切った断面図である。
【図１２】リンク連接部品同士が互いに移動変位可能に支承されている、本発明による実施例の断面図である。
【図１３】リンク連接部品同士が互いに移動変位可能に支承されている、本発明による実施例の断面図である。
【図１４】図１２および図１３による実施例の、ヒンジポットとして構成された第２のリンク連接部品を示す斜視図である。
【図１５】移動変位可能なリンク連接部品が２つの取り付け板に対して移動変位可能に支承されている、本発明によるさらなる実施例の断面図である。
【図１６】移動変位可能なリンク連接部品が２つの取り付け板に対して移動変位可能に支承されている、本発明によるさらなる実施例の断面図である。
【図１７】移動変位可能なリンク連接部品が２つの取り付け板に対して移動変位可能に支承されている、本発明によるさらなる実施例の断面図である。
【図１８】移動変位可能なリンク連接部品が２つの取り付け板に対して移動変位可能に支承されている、本発明によるさらなる実施例の断面図である。
【符号の説明】
【００２７】
２  折畳みドア
３  ドア構成部材
４  ドア構成部材
９  ヒンジ
１０  リンク連接部品
１１  リンク連接部品
１２  取り付け板
１４  バネ
１５  隙間
１６  係止突出部
１７  凹部
【図１】
2007529653.tif 000003
【図２】
2007529653.tif 000004
【図３】
2007529653.tif 000005
【図４ａ】
2007529653.tif 000006
【図４ｂ】
2007529653.tif 000007
【図４ｃ】
2007529653.tif 000008
【図５ａ】
2007529653.tif 000009
【図５ｂ】
2007529653.tif 000010
【図５ｃ】
2007529653.tif 000011
【図６】
2007529653.tif 000012
【図７】
2007529653.tif 000013
【図８】
2007529653.tif 000014
【図９】
2007529653.tif 000015
【図１０】
2007529653.tif 000016
【図１１】
2007529653.tif 000017
【図１２】
2007529653.tif 000018
【図１３】
2007529653.tif 000019
【図１４】
2007529653.tif 000020
【図１５】
2007529653.tif 000021
【図１６】
2007529653.tif 000022
【図１７】
2007529653.tif 000023
【図１８】
2007529653.tif 000024
【国際調査報告】
2007529653.tif 000025
2007529653.tif 000026
2007529653.tif 000027
2007529653.tif 000028
2007529653.tif 000029
2007529653.tif 000030
2007529653.tif 000031
2007529653.tif 000032